(57)【要約】  【課題】    製作時において床パネルとしての最終的なサイズ加工を施す際にパネル本体のみを所定の寸法に仕上げるだけで済み、表面仕上げ板を張替える場合において表面仕上げ板の張替えの前後でパネル本体の外形寸法を変えてしまうようなことがなく、従って表面仕上げ板の張替えを比較的容易且つ安価に行なうことが可能なフリーアクセスフロア用床パネルを提供すること。  【解決手段】  アルミダイカストにより定型矩形状に形成されたパネル本体１の上面に表面仕上げ板２が一体的に設けられるフリーアクセスフロア用床パネルであって、パネル本体１の上面周縁全体に表面仕上げ板２の厚みと同じ高さを有する四周リブ１１を突出形成せしめ、該四周リブ１１で囲まれた凹窪１３内に当該凹窪１３内と同形同大に形成された表面仕上げ板２を一体的に設置してなる。  【選択図】    図１
0003119254.tif 000002
【実用新案登録請求の範囲】
【請求項１】
アルミダイカストにより定型矩形状に形成されたパネル本体の上面に表面仕上げ板が一体的に設けられるフリーアクセスフロア用床パネルであって、
前記パネル本体の上面周縁全体に前記表面仕上げ板の厚みと同じ高さを有する四周リブを突出形成せしめ、該四周リブで囲まれた凹窪内に当該凹窪内と同形同大に形成された表面仕上げ板を一体的に設置してなることを特徴とするフリーアクセスフロア用床パネル。
【考案の詳細な説明】
【技術分野】
【０００１】
本考案は、フリーアクセスフロア用床パネルに関し、特にアルミダイカスト（鋳造法）により定型矩形状に形成されたパネル本体の上面に表面仕上げ板が一体的に設けられるフリーアクセスフロア用床パネルに関するものである。
【背景技術】
【０００２】
この種フリーアクセスフロア用床パネルでは、パネル本体の上面に設けられる表面仕上げ板として塩化ビニル樹脂等の樹脂製タイルやステンレス材等の金属板などが使用され、パネル本体及び表面仕上げ板をそれぞれ目的の寸法より少し大きめに成形しておき、図３に示す如くパネル本体１の上面に表面仕上げ板２を重ね合わせて一体化した後に、パネル本体１及び表面仕上げ板２の周縁部分Ｂをカッター（又は研削・ヤスリなど）Ｃで一緒に切断（又は研削）することにより所定の寸法に仕上げている。
【０００３】
一方、この種のフリーアクセスフロア用床パネルにはＪＩＳ規格が制定されていないので、メーカーによって寸法（規格）が多少相違する。
従って、例えば表面仕上げ板にひび割れや欠損が生じたり或いは室内の模様替え時等に表面仕上げ板を張替えたい場合に、パネル本体と表面仕上げ板の周縁をカッター等で一緒に切断・研削したのと同等の精度を持って張替えることは至難であり、そこで表面仕上げ板を少し大きめに成形してパネル本体の上面に重ね合わせて一体化した後に、表面仕上げ板の周端を特殊なカンナやヤスリでもって研削仕上げ加工を行なっていた。その為、表面仕上げ板の張替えに非常に手間取り工期が長くなり且つコスト高になるので、結局、表面仕上げ板の張替えを諦めて床パネルごと取り替えることがあった。
しかし、床パネルごと取り替えると、同じメーカーのものであっても床パネルの敷設ピッチがずれて、既設の支持脚上に納まらなくなることがあった。
【０００４】
尚、本願出願人が知っている上記の先行技術は、文献公知考案に係るものではないので本願明細書には先行技術文献情報を開示しない。
【考案の開示】
【考案が解決しようとする課題】
【０００５】
本考案はこのような現状に鑑みてなされたものであり、製作時において床パネルとしての最終的なサイズ加工を施す際にパネル本体のみを所定の寸法に仕上げるだけで済み、表面仕上げ板を張替える場合において表面仕上げ板の張替えの前後でパネル本体の外形寸法を変えてしまうようなことがなく、従って表面仕上げ板の張替えを比較的容易且つ安価に行なうことが可能なフリーアクセスフロア用床パネルを提供せんとするものである。
【課題を解決するための手段】
【０００６】
斯かる目的を達成する本考案のフリーアクセスフロア用床パネルは、アルミダイカストにより定型矩形状に形成されたパネル本体の上面に表面仕上げ板が一体的に設けられるフリーアクセスフロア用床パネルであって、パネル本体の上面周縁全体に表面仕上げ板の厚みと同じ高さを有する四周リブを突出形成せしめ、該四周リブで囲まれた凹窪内に当該凹窪内と同形同大に形成された表面仕上げ板を一体的に設置してなることを特徴としたものである。
【考案の効果】
【０００７】
本考案に係るフリーアクセスフロア用床パネルによれば、パネル本体の上面周縁全体に表面仕上げ板の厚みと同じ高さを有する四周リブを突出形成せしめ、該四周リブで囲まれた凹窪内に当該凹窪内と同形同大に形成された表面仕上げ板を一体的に収納設置してなるので、表面仕上げ板は床パネルとしてのサイズ（仕上げ外形寸法）決定に全く影響を及ぼすことがない。
従って、製作時において床パネルとしての最終的なサイズ加工を施す際にパネル本体のみを所定の寸法に仕上げるだけで済み、しかも表面仕上げ板を張替える場合において表面仕上げ板の外形寸法をパネル本体の凹窪内と同形同大に形成するだけで済むので表面仕上げ板の張替えの前後でパネル本体の外形寸法を変化させてしまうようなことがない。
よって、従来の床パネルと比較して、表面仕上げ板の張替えを総合的に容易且つ安価に行なうことが可能となる。
【０００８】
また、製作時において床パネルとしての最終的なサイズ加工を施す際にパネル本体のみを所定の寸法に仕上げるだけで済みパネル本体と表面仕上げ板を一緒に切断（又は研削）することがないので、サイズ加工時に発生する切削屑としてはパネル本体から出るアルミ材だけであり従来品のように樹脂材やアルミ材以外の異種金属材が混じることがないため切削屑のリサイクル処理が非常に楽になると共に、表面仕上げ板として樹脂材に限らずパネル本体よりも硬質のステンレス材等の金属製板材を適用することが容易となる。
【０００９】
以下、本考案の具体的な好適実施例を、図面を参照しながら詳細に説明するが、本考案は図示した実施例のものに限定されるものではなく、いろいろなバリエーションが考えられる。
【００１０】
本考案に係るフリーアクセスフロア用床パネルは、アルミニウム合金を用いてダイカスト鋳造法により定型矩形状に形成されるパネル本体１の上面に表面仕上げ板２が一体的に重ね合わされて形成される。
【００１１】
パネル本体１は、所定の大きさの定型矩形状（例えば、一辺が６０ｃｍの正方形）に形成されると共に、その上面の周縁全体に、表面仕上げ板２の厚み（Ｈ１）と同じ高さを有する四周リブ１１が突出形成される。
【００１２】
四周リブ１１は、パネル本体１をダイカスト鋳造すると同時に同一体に形成され、パネル本体１の外周端面１２から内側方へ向かって適宜所望の幅（Ｈ２）にパネル本体１の外周全体にわたって表面仕上げ板２の厚み（Ｈ１）と同じ高さに突出形成される。この際、四周リブ１１は、全周にわたって同じ幅（Ｈ２）に形成しても良いし、任意の一辺又は２辺の幅をそれ以外の辺の幅と違えて形成しても良い。
【００１３】
そしてパネル本体１の上面、詳しくは上記四周リブ１１で囲まれて形成された凹窪１３内に、予め当該凹窪１３内と同形同大に形成された表面仕上げ板２が隙間なく収納され、パネル本体１と一体的に重ね合わさ設置される。
【００１４】
表面仕上げ板２としては従来と同様に、適当な厚さ（例えば、１〜３ｍｍ程度）を有する塩化ビニル樹脂等の樹脂製タイルやステンレス材等の金属板などが使用され、パネル本体１の四周リブ１１で形成された凹窪１３内と同形同大に形成され、パネル本体１の凹窪１３内に隙間なく収納設置される。
【００１５】
ちなみに、表面仕上げ板２を凹窪１３内に一体的に収納設置する手段としては、従来と同様に、接着剤や両面接着テープを用いた接着止め、或いはビスやスタッドボルトを用いた機械的固定などを採用しえる。
なお、表面仕上げ板２としてステンレス材等の金属板を用いる場合、金属板の表面に適宜な模様や塗装或いはメッキを施したものを使用することも可能である。
【００１６】
而して、本床パネルを製造する場合、パネル本体１をアルミダイカストによりほぼ所定大きさの定型矩形状に形成すると共に、その上面側に表面仕上げ板２の厚み（Ｈ１）と同じ高さを有する四周リブ１１を突出形成せしめる。一方、表面仕上げ板２を予め上記四周リブ１１で形成された凹窪１３内と同形同大に形成しておく。
そして、上記パネル本体１の凹窪１３内に、表面仕上げ板２を収納一体化する前若しくは収納一体化した後に、パネル本体１の四周を研削して床パネルとしての最終的なサイズ加工を施して所定の寸法に仕上げる。
【図面の簡単な説明】
【００１７】
【図１】本考案実施の一例を示す分解斜視図。
【図２】本考案に係る要部の拡大断面図。
【図３】従来例を説明する要部の拡大断面図。
【符号の説明】
【００１８】
１：パネル本体              ２：表面仕上げ板
１１：四周リブ              １２：外周端面
１３：凹窪
【図１】
0003119254.tif 000003
【図２】
0003119254.tif 000004
【図３】
0003119254.tif 000005